(57)【要約】【課題】  窓からの入射光を確実に遮蔽できる昇降式シェードを提供すること。【解決手段】  窓枠５の上縁部近傍に設けたブラケット９，９の相互間に、窓枠５の上縁部に対して接近離間する棒状の可動部材１０と、可動部材１０よりも室内側に棒状の支持部材１１とを取付け、可動部材１０を窓枠５の上縁部に押し付けて窓枠５の上縁部との間でシェード３を挟持固定する。シェード３の下側部分３1は、窓枠５の上縁部から窓枠５に密着した状態で吊下げられ、窓８からの入射光を確実に遮蔽する。他方、シェード３の上側部分３2は、支持部材１１に掛け渡して窓枠５の上縁部から室内側に離れた位置で垂らしてある。これにより可動部材１０が室内側から隠され、本昇降式シェードの上部の意匠性が向上する。【選択図】図１
2005168989.tif 000002
【特許請求の範囲】
【請求項１】
棒状に形成し、かつ、窓枠上縁部に対して平行状態で接近離間する可動部材と、前記可動部材によって窓枠上縁部又は窓枠上方の室内壁面に押し付けて、窓枠上縁部又は窓枠上方の室内壁面から窓枠又は室内壁面に密着した状態で吊下げたシェードと、窓枠の内周側上部に取付けて前記シェードを昇降させるシェード昇降機構とからなる昇降式シェード。
【請求項２】
棒状に形成した支持部材を、窓枠上縁部から室内側へ離れた位置に、前記可動部材と平行に設けて、前記可動部材から上方へはみ出したシェードの上側の部分を支持部材に掛け渡して下方へ垂らした請求項１に記載の昇降式シェード。
【請求項３】
窓枠上縁部又は窓枠上方の室内壁面に下部を窓枠上縁部から下方へ突出させた状態で取付けたパネル材と、窓枠上縁部から下方へ突出したパネル材の下部裏面に取付けて、窓枠又は室内壁面に密着した状態で吊下げたシェードと、前記パネル材の下部裏面に所定の間隔を隔てて取付けて、前記シェードの下部に所定の間隔を隔てて接続した複数本の昇降紐を前記パネル材の左右方向片端側へ案内する複数個のガイド部材と、前記パネル材の下部裏面でかつその左右方向片端部に取付けて、前記複数本の昇降紐を引上げた状態で保持すると共に各昇降紐の保持を解除してシェードを昇降させる昇降器とからなる昇降式シェード。
【請求項４】
窓枠上縁部又は窓枠上方の室内壁面に取付けた縦軸回りに回転自在なアームと、前記アームの先端部に取付けて窓枠上縁部又は窓枠上方の室内壁面に対して揺動するパネル材と、前記パネル材に取付けて窓枠上縁部又は窓枠上方の室内壁面から窓枠又は室内壁面に密着した状態で吊り下げたシェードと、前記パネル材の裏面に取付けてシェードを昇降させるシェード昇降機構とからなる昇降式シェード。
【請求項５】
窓枠上縁部又は窓枠上方の室内壁面から窓枠又は室内壁面に密着した状態で吊下げたシェードであって、窓枠上縁部又は窓枠上方の室内壁面に取付けた固定側の面ファスナとシェードの上縁部に取付けたシェード側の面ファスナーとを介して窓枠上縁部又は窓枠上方の室内壁面に取付けたシェードと、窓枠の内周側上部に取付けて前記シェードを昇降させるシェード昇降機構とからなる昇降式シェード。
【発明の詳細な説明】
【技術分野】
【０００１】
本発明は、窓の室内側にシェードを昇降自在に設けた昇降式シェードに関するものである。
【背景技術】
【０００２】
従来の昇降式シェードとして、例えば図１４及び図１５に示すローマンシェード１がある。従来のローマンシェード１は、図１４の如く、ヘッドレール２の前面に取付けて吊下げられたシェード３を、ヘッドレール２に設けたシェード昇降機構４によって昇降させるものである（例えば特許文献１参照）。
【０００３】
ヘッドレール２は、図１５の如く、断面を略コ字状に形成した中空角棒状の部材であって、その開口側を下向きにした状態で、窓枠５の上方の室内壁面６に取付けてある。
【０００４】
シェード３は、図１４及び図１５の如く、カーテン生地やスクリーン等の可撓性を有するシート状の部材である。シェード３の下端部には、ウェイトバー３ａを取付けると共に、複数本の昇降紐３ｂ，３ｂ，…を所定間隔を隔てて着脱自在に接続してある。また、シェード３の裏面には、各昇降紐３ｂ，３ｂ，…を上方へ案内するガイド環列３ｃ，３ｃ，…を複数列設けてある。
【０００５】
シェード昇降機構４は、図１４の如く、ヘッドレール２の下部に配列した複数個のガイド部材４ａ，４ａ，…と、ヘッドレール２の下部の片端側に設けた昇降器４ｂとからなっている。ガイド部材４ａ，４ａ，…は、ガイド環列３ｃ，３ｃ，…によってシェード３の下端部から上方へ案内した昇降紐３ｂ，３ｂ，…を昇降器４ｂ側へ案内するものである。ガイド部材４ａ，４ａ，…としては、図の如く昇降紐３ｂ，３ｂ，…を通す環状の部材や、昇降紐３ｂ，３ｂ，…を巻掛ける滑車（図８参照）などが挙げられる。昇降器４ｂは、昇降紐３ｂ，３ｂ，…を引上げた状態で保持すると共に昇降紐３ｂ，３ｂ，…の保持を解除することで、シェード３を昇降させるものである。昇降器４ｂとしては、例えば図の如く普及型のブラインドに使用される昇降紐のストッパや、昇降紐３ｂ，３ｂ，…を巻き込んだり巻き戻したりする手動式又は電動式の巻取器（図示略）などが挙げられる。なお、シェード昇降機構４としては、ガイド部材４ａ，４ａ，…及び昇降器４ｂをヘッドレール２の内部に組み込んだものもある（図示略）。
【０００６】
この種のローマンシェードは、図１５の如くヘッドレール２を窓枠５よりも上方の室内壁面６にブラケット７を介して取付け、ヘッドレール２の前面から下方へ吊り下げたシェード３により窓８からの入射光を遮る一方、シェード昇降機構４によりシェード３をたくし上げて、窓８から採光できるようにしたものである。
【０００７】
従来のローマンシェード１は、シェード３がヘッドレール２及びブラケット７の厚み分だけ室内壁面６から離れており、このシェード３及び室内壁面６の隙間から室内に光が入射する。この隙間からの入射光を遮るためには、シェード３の幅を窓枠５よりも十分に広く形成する必要がある。しかし、シェード３の幅を窓枠５よりも広くし過ぎると、窓枠５の大きさとの関係でシェード３が不自然に大きくなり、ローマンシェード１の室内インテリアとして機能が損なわれる。また、従来のローマンシェード１は、シェード３が室内壁面６から室内側へ離れているので、室内空間を狭く感じさせる。
【０００８】
【特許文献１】特開平９−５６５７４号公報
【発明の開示】
【発明が解決しようとする課題】
【０００９】
本発明は、斯かる実情に鑑み創案されたものであって、シェードと窓枠又は室内壁面（以下、窓枠等という。）との隙間を無くして、窓からの入射光を確実に遮蔽できる昇降式シェードを提供することにある。
【課題を解決するための手段】
【００１０】
本発明の請求項１〜５に記載の昇降式シェードはいずれも、シェードを窓枠等に対して密着状態で吊下げたものである。このようにシェードを窓枠等に対して密着させることで、窓からの光がシェードと窓枠等の隙間から室内へ入らない。また、室内側から本昇降式シェードを見ると、シェードが窓枠等に密着しているので、室内が広く見える。他方、室外側からは、シェードと窓枠等の間から室内を覗くことができないので、防犯やプライバシー保護という点で有利な効果が得られる。さらに、シェードを境にして室内側と窓枠内とが遮断されるので、窓枠内の空気が室内側の空気と交わらない。したがって、室内空調機器の熱効率を向上できる。
【００１１】
以下、請求項１〜５に記載の昇降式シェードの各々についてその特徴を説明する。
【００１２】
請求項１に記載の昇降式シェードは、棒状に形成し、かつ、窓枠上縁部に対して平行状態で接近離間する可動部材と、前記可動部材によって窓枠上縁部又は窓枠上方の室内壁面に押し付けて、窓枠上縁部又は窓枠上方の室内壁面から窓枠又は室内壁面に密着した状態で吊下げたシェードと、窓枠の内周側上部に取付けて前記シェードを昇降させるシェード昇降機構とからなるものである。
【００１３】
請求項１に記載の昇降式シェードによれば、可動部材によってシェードを窓枠上縁部又は窓枠上方の室内壁面に押し付けて固定しているので、シェードの着脱が極めて容易である。また、シェードの上部を折り返して垂らすことによって可動部材を隠せるから、シェード上部の見栄えも担保される。さらに、可動部材によるシェードの押え位置を変更することで、シェードを降ろしたときの下端位置を窓枠の下縁部に合せることができ、シェードの長さ調節が容易である。
【００１４】
請求項２に記載の昇降式シェードは、請求項１に記載の昇降式シェードにおいて、棒状に形成した支持部材を、窓枠上縁部から室内側へ離れた位置に、前記可動部材と平行に設けて、前記可動部材から上方へはみ出したシェードの上側の部分を支持部材に掛け渡して下方へ垂らしたものである。
【００１５】
請求項２に記載の昇降式シェードによれば、支持部材によってシェードの上側の部分を窓枠等から離れた室内側の位置で支持しているので、本昇降式シェードの上部がシェードによって立体的に構成される。したがって、本昇降式シェードの上部の見栄えをより一層向上できる。なお、シェードの上部を支持部材から下方へ垂らしたり、支持部材に巻掛けてから可動部材で窓枠又は室内壁面に押し付け固定したりすることで、可動部材を隠せる上、本昇降式シェードの上部形状を自在に変更できる。
【００１６】
請求項３に記載の昇降式シェードは、窓枠上縁部又は窓枠上方の室内壁面に下部を窓枠上縁部から下方へ突出させた状態で取付けたパネル材と、窓枠上縁部から下方へ突出したパネル材の下部裏面に取付けて、窓枠又は室内壁面に密着した状態で吊下げたシェードと、前記パネル材の下部裏面に所定の間隔を隔てて取付けて、前記シェードの下部に所定の間隔を隔てて接続した複数本の昇降紐を前記パネル材の左右方向片端側へ案内する複数個のガイド部材と、前記パネル材の下部裏面でかつその左右方向片端部に取付けて、前記複数本の昇降紐を引上げた状態で保持すると共に各昇降紐の保持を解除してシェードを昇降させる昇降器とからなるものである。
【００１７】
請求項３に記載の昇降式シェードによれば、パネル材によって、シェードの取付け構造並びにガイド部材及び昇降器からなるシェード昇降機構が隠され、その上部の意匠性が向上する。また、パネル材の裏面に、昇降器やガイド部材を裸状態で直接装着しているので、これらの部品交換が容易である。さらに、窓枠等の上縁部から下方へ突出させたパネル材の下部裏面にガイド部材及び昇降器を取付けてあるから、ガイド部材及び昇降器が窓枠内に収められ、パネル材を室内壁面から出張らないように形成できる。これにより本昇降式シェードが室内壁面とほぼ同一の平面をなすように取付けられ、室内空間が広く感じられる上、パネル材の上部に埃が溜まり難い。一方、シェードは、上縁部がパネル材によって覆われているので、埃が溜まらず汚れ難い。なお、パネル材は、窓枠上縁部を覆い隠す程度の大きさの帯板状又はカバー状の部材であって、好ましくはその表面側に適宜の装飾を施した部材である。
【００１８】
請求項４に記載の昇降式シェードは、窓枠上縁部又は窓枠上方の室内壁面に取付けた縦軸回りに回転自在なアームと、前記アームの先端部に取付けて窓枠上縁部又は窓枠上方の室内壁面に対して揺動するパネル材と、前記パネル材に取付けて窓枠上縁部又は窓枠上方の室内壁面から窓枠又は室内壁面に密着した状態で吊り下げたシェードと、前記パネル材の裏面に取付けてシェードを昇降させるシェード昇降機構とからなるものである。
【００１９】
請求項４に記載の昇降式シェードによれば、アームを縦軸回りに回転させることによりパネル材の裏面から吊り下げたシェードが窓枠等に対して接近離間する。これにより窓を開放して室内に外気を取り込む際に、シェードを降ろした状態であっても、シェードを窓枠等から離すことで、シェードのばたつきを抑制できる。
【００２０】
請求項５に記載の昇降式シェードは、窓枠上縁部又は窓枠上方の室内壁面から窓枠又は室内壁面に密着した状態で吊下げたシェードであって、窓枠上縁部又は窓枠上方の室内壁面に取付けた固定側の面ファスナとシェードの上縁部に取付けたシェード側の面ファスナーとを介して窓枠上縁部又は窓枠上方の室内壁面に取付けたシェードと、窓枠の内周側上部に取付けて前記シェードを昇降させるシェード昇降機構とからなるものである。
【００２１】
請求項５に記載の昇降式シェードによれば、窓枠上縁部又は窓枠上方の室内壁面に固定側及びシェード側の面ファスナを介してシェードを取付けているので、シェードの着脱が極めて容易である。また、シェード昇降機構を窓枠の内周側上部に設けてあるから、室内側にはシェードの厚み分しか出っ張らない。したがって、本昇降式シェードの上部に埃がたまり難く衛生的である。しかも室内側からは、窓枠等に対して単にシェードを貼付けただけのように見え、タペストリーのような室内インテリアとして機能も得られる。
【発明の効果】
【００２２】
本発明は、シェードを窓枠等に対して密着状態で吊り下げたので、窓からの入射光を確実に遮ることができる。また、シェードが壁際に密着しているので、室内が広く見える。他方、室外側からは室内を覗くことができないので、防犯やプライバシー保護という点で有利な効果が得られる。さらに、窓枠を境にして室内側と窓際とをシェードによって閉塞しているので、室内空調機器の熱効率を向上できる。室内側からは室内が広く見える。他方、室外側からはシェードと窓枠等の間から室内を覗くことができないので、防犯やプライバシー保護という点で有利な効果が得られる。さらに、窓枠をシェードによって閉塞しているので、室内空調機器の熱効率を向上できる。
【発明を実施するための最良の形態】
【００２３】
以下、図面を参照しつつ本発明の昇降式シェードを実施するための最良の形態について説明する。なお、以下の実施例１乃至４では、従来例と同一の部位には、同一符号を付して詳しい説明を省略する。
【実施例１】
【００２４】
図１乃至図５を参照して本発明の実施例１に係る昇降式シェード１ａを説明する。この昇降式シェード１ａは、図１の如く、一対のブラケット９，９の相互間に設けた可動部材１０及び支持部材１１によってシェード３を吊り下げると共に、図２の如く、窓枠５の内周側上部に設けたシェード昇降機構４によってシェード３を昇降させるものである。
【００２５】
可動部材１０は、一対のブラケット９，９の相互の間隔とほぼ同じ長さに形成した細い棒状の部材であって、図１及び図２の如く、各ブラケット９，９の基端部から先端側へ向けて形成した切欠き部９ａ，９ａの相互間に、窓枠５の上縁部と平行でかつ窓枠５の上縁部に対して接近離間自在に配設してあり、各ブラケット９，９に設けた保持部材９ｂ，９ｂにより窓枠５に近接した状態で保持される。保持部材９ｂ，９ｂは、各ブラケット９，９の基端側上部に螺装したネジであって、その下部を各ブラケット９，９の切欠き部９ａ，９ａに突出させて、可動部材１０を窓枠５に近接させた状態で保持するものである。可動部材１０と窓枠５との間にシェード３を挟み込み、保持部材９ｂ，９ｂによって可動部材１０を窓枠５側へ押付けた状態で保持すると、シェード３の可動部材１０よりも下側の部分（以下、シェード３の下側部分３1という。）が窓枠５の上縁部から窓枠５に密着した状態で吊下げられる。
【００２６】
支持部材１１は、一対のブラケット９，９の先端部に可動部材１０と平行でかつ可動部材１０よりも室内側に架設した太い棒状の部材であって、シェード３の可動部材１０よりも上方にはみ出した部分（以下、シェード３の上側部分３2という。）を掛け渡して窓枠５から離れた位置で下方へ垂らすためのものである。なお、支持部材１１は、各ブラケット９，９から外方へ突出した両端部や、ブラケット９，９の相互間に位置する中間部などに適宜の意匠を施しておくことが望ましい。
【００２７】
シェード昇降機構４は、ヘッドレール２の内部にガイド部材４ａ，４ａ，…及び昇降器４ｂ（図１４参照）を組み込んだものであって、窓枠５の内周側上部に取付けてある。すなわち、シェード昇降機構４は、従来例の場合と比較してシェード３から窓８側へ離れた位置に取付けてあるから、シェード３の裏面側のガイド環列３ｃに通してシェード３の下端部から上方へ案内された昇降紐３ｂに対する窓８側への引力が大きくなる。これにより、シェード３の下側部分３1に対して窓枠５側への密着力が作用する。
【００２８】
実施例１の昇降式シェード１ａは、上記の如く構成され、シェード３を降ろした状態で、シェード３と窓枠５の間に隙間が生じないから、窓８からの入射光を遮ることができる。また、室内側から本昇降式シェード１ａを見ると、シェード３が窓枠５に密着しているので、室内が広く見える。他方、室外側からは、シェード３と窓枠５の間から室内を覗くことができないので、防犯やプライバシー保護という点で有利な効果が得られる。さらに、シェード３を境にして室内側と窓枠５内とが遮断されているので、窓枠５内の空気が室内側の空気と交わらない。したがって、室内空調機器の熱効率を向上できる。なお、以上の作用は、実施例２乃至４においても共通するので、実施例２乃至４では記載を省略する。
【００２９】
また、実施例１の昇降式シェード１ａは、窓枠５の上縁部と可動部材１０との間にシェード３の上部を挟み込み、保持部材９ｂ，９ｂにより可動部材１０を窓枠５の上縁部に近接させた状態で固定すると、シェード３の下側部分３1が窓枠５に密着した状態で吊下げられる。このように、シェード３を可動部材１０によって押し付け固定すると、その押付けを解除することにより、シェード３の着脱だけではなく、シェード３の吊下げ長さの調節も容易に行なえる。
【００３０】
他方、シェード３の上側部分３2は、支持部材１１に掛け渡して下方へ垂らすようになっている。このようにシェード３の上側部分３2を室内壁面６から室内側に離れた位置で下方へ垂らすと、図１及び図２の如く昇降式シェード１ｂの上部がシェード３によって立体的に構成される上、可動部材１０が隠されるから、昇降式シェード１ｂの上部の見栄えを向上できる。さらに、図３の如くシェード３の下側部分３1をたくし上げたときには、シェード３の上側部分３2によって、シェード３の下側部分３1が隠されるから、シェード３をたくし上げたときの見栄えも向上できる。
【００３１】
なお、実施例１では、シェード３の上側部分３2を支持部材１１に掛け渡して下方へ垂らしているが、図４の如く、シェード３の上側部分３2を支持部材１１に巻掛けてから、窓枠５と可動部材１０との間に挟み込んで使用することもできる。また、支持部材１１に意匠を施している場合には、図５の如く、シェード３の上側部分３2を支持部材１１に掛け渡さずに可動部材１０から下方へ垂らし、支持部材１１を露出しても構わない。このように、本昇降式シェード１ａは、その上部の意匠性を容易に変更することができる。なお、図５の如く、シェード３の上側部分３2を可動部材１０から下方へ垂らした場合は、支持部材１１に横引きのカーテン１２を吊下げても構わない。
【００３２】
また、シェード３の表裏の模様を相違させておくと、シェード３の下側部分３1では表側の模様が表象され、シェード３の上側部分３2ではシェード３の裏側の模様が表象されるから、本昇降式シェード１ｂの意匠性を向上できる。
【００３３】
また、実施例１では、ブラケット９，９を窓枠５の上縁部側方に設けているが、図６の如く、窓枠５の上方に設けても構わない。この場合、ブラケット９，９の基端側相互間に、可動部材１０と同様の細い棒状の固定部材９ｃを設け、この固定部材９ｃと可動部材１０とでシェード３を挟持することで、シェード３を窓枠５の室内側の面に沿って真直ぐに吊下げる。
【００３４】
さらに、保持部材としては、図６に示すように、ブラケット９，９に組み込んだバネ等の弾性部材９ｂ’，９ｂ’を使用しても構わない。この場合、弾性部材９ｂ’，９ｂ’の付勢力により可動部材１０を窓枠５側へ押し込んでシェード３を固定する。
【実施例２】
【００３５】
図７は、本発明の実施例２に係る昇降式シェード１ｂを例示する背面図で、図８は、同縦断側面図である。この昇降式シェード１ｂは、窓枠５の上方の室内壁面６にパネル材１３を取付け、このパネル材１３の裏面であって窓枠５の上縁部から下方へ突出したパネル材１３の下部に、シェード３、複数個のガイド部材４ａ，４ａ，…及び昇降器４ｂを取付けた点で、実施例１と相違している。他の点については、実施例１と同一であるから、同一部位には同一符号を付して詳しい説明を省略する。
【００３６】
パネル材１３は、窓枠５の上縁部より幅広の帯板状の部材である（図１０参照）。パネル材１３は、図８の如く、裏面の上下方向中間部を窓枠５に当接するように平坦に形成してあり、窓枠５の上縁部から下方へ突出した部分には昇降機構を構成するガイド部材４ａ，４ａ，…及び昇降器４ｂとを取付けてある。パネル材１３の裏面上部及び下部は、中間部よりも窪んでおり、裏面上部には室内壁面６に設けた取付け金具６ａとの連結部１３ａ，１３ａを設けると共に、裏面下部にはシェード３を取付けてある。他方、パネル材１３の表面は、滑らかな曲面状や平面状に形成したり、或いは適宜の意匠を施してある。
【００３７】
シェード３は、図８の如く、パネル材１３の裏面下部に固着した固定側の面ファスナ１３ｂに、シェード３の上部に設けたシェード側の面ファスナ３ｄを貼り付けたり、図示は省略するがボタンや横引きのカーテン１２（図５参照）の吊下げ金具その他適宜の手段によりパネル材１３に対して着脱自在に取付けてある。なお、シェード３は、パネル材１３の裏面下部をシェード３の厚さとほぼ同じ寸法だけ窪ませてあるので、窓枠５に密着した状態で真直ぐに吊下がっている。
【００３８】
ガイド部材４ａ，４ａ，…及び昇降器４ｂは、図７の如く、窓枠５の上縁部から下方へ突出したパネル材１３の裏面中間部の下部であって、窓枠５に対する当接部位とシェード３の取付け部位との間で、かつ、その左右方向に所定の間隔を隔てて裸状態で取付けてある。そして、ガイド部材４ａ，４ａ，…及び昇降器４ｂは、パネル材１３を室内壁面６に取付けると、図８の如く、窓枠５の内部に収められる。なお、図８では、便宜上、ガイド部材４ａ，４ａ，…の図示を省略している。
【００３９】
実施例２の昇降式シェード１ｂは、上記の如く構成され、従来例に示すヘッドレール２に換えてパネル材１３を使用すると共に、パネル材１３の裏面に、シェード３、ガイド部材４ａ，４ａ，…及び昇降器４ｂを直接装着したので、シェード３、ガイド部材４ａ，４ａ，…及び昇降器４ｂの取付け構造が室内側に露出されない。また、ガイド部材４ａ，４ａ，…及び昇降器４ｂを窓枠５内に収めることにより、パネル材１３を薄板状に形成して本昇降式シェード１ｂを室内壁面６とほぼ同一の平面をなすように構成できる。したがって、本昇降式シェード１ｂの上部の意匠性を向上できる。また、パネル材１３の裏面に、ガイド部材４ａ，４ａ，…及び昇降器４ｂを裸状態で直接装着しているので、これらの部品交換が容易である。さらに、シェード３は上縁部がパネル材１３によって覆われ、また、ガイド部材４ａ，４ａ，…及び昇降器４ｂは窓枠５内に収めてあるから、シェード３、ガイド部材４ａ，４ａ，…及び昇降器４ｂに埃が溜まらず汚れ難い。
【実施例３】
【００４０】
図９は、本発明の実施例３に係る昇降式シェード１ｃを例示する縦断側面図で、図１０は、同上面図である。また、図１１は、本昇降式シェード１ｃの動作を説明するための縦断側面図である。この昇降式シェード１ｃは、図９乃至図１１の如く、窓枠５の上方の室内壁面６に縦軸回りに枢着した折畳み可能な一対のアーム１４，１４を介してパネル材１３を取付けた点で、実施例２の昇降式シェード１ｂと相違している。他の点については、実施例２と同一であるから、同一部位には同一符号を付して詳しい説明を省略する。
【００４１】
アーム１４，１４は、図１０及び図１１の如く、２枚のプレート１４ａ，１４ａをヒンジ１４ｂで連結した展開・折畳み自在な部材であって、各々の先端部にはヒンジ１４ｃ，１４ｃを介してパネル材１３を連結する落し込み金具１４ｅ，１４ｅを設け、かつ、各々の基端部にはヒンジ１４ｄ，１４ｄを介して室内壁面６への取付け金具１４ｆを設けてある。
【００４２】
実施例３の昇降式シェード１ｃは、上記の如く構成され、図９及び図１１の如く、アーム１４，１４を折畳み又は展開することによりシェード３が窓枠５に対して接近離間する。具体的には、図１０の一点鎖線で示すように、パネル材１３を窓枠５に対して平行に離したり、或いは図１０の破線で示すように、片端側を軸にして他端側を窓枠５から離す。これにより窓８を開放して室内に外気を取り込む際に、図１１の如く、シェード３を降ろした状態であっても、シェード３と窓枠５との間から外気が流入し、シェード３のばたつきを抑えることができる。
【００４３】
なお、実施例３では、パネル材１３を帯板状に形成してあるが、例えば図１２の如く、窓枠の上縁部を覆い隠すカバー状に形成しても構わない。また、パネル材１３は、その片端側を窓枠５の上縁部側方の室内壁面６に対して蝶番等の縦軸回りに回転可能な取付け金具６ｂを介して取付けると共に、パネル材１３の他端側を１本のアーム１４を介して窓枠５の上方の室内壁面６に取付けて、取付け金具６ａを軸にして回転するようにしてもよい。また、図１２では、アーム１４を棒状の部材とし、その基端部を窓枠５の上方の室内壁面６に縦軸回りに枢着する一方、先端部をパネル材１３の裏面に設けたガイドレール１３ｃに連結してパネル材１３の左右方向にスライド自在に構成してある。なお、図示は省略するが、ガイドレール１３ｃを窓枠５側に設けて、アーム１４の基端部を左右方向にスライド自在に取付ける一方、アームの先端部をパネル材１３の裏面に縦軸回りに枢着しても構わない。また、図１２のように、アーム１４を棒状の部材とした場合は、アーム１４を伸縮自在に構成しても構わない。
【実施例４】
【００４４】
図１３は、本発明の実施例４に係る昇降式シェード１ｄを例示する縦断側面図である。この昇降式シェード１ｄは、窓枠５の上方の室内壁面６から窓枠５に密着した状態で吊下げたシェード３を、窓枠５の内周側上部に取付けたシェード昇降機構４によって昇降させるものである。
【００４５】
シェード３は、上部に取付けたシェード側の面ファスナ３ｄと、窓枠５の上方の室内壁面６にスペーサ部材１５を介して取付けた固定側の面ファスナ１５ａとを貼り合せて、窓枠５の上方の室内壁面６から窓枠５に密着した状態で吊下げてある。スペーサ部材１５は、窓枠５の室内側への突出長さとほぼ同厚の部材である。より詳しくは、窓枠５の室内側への突出長さからシェード側及び固定側の面ファスナ３ｄ，１５ａを貼り合せたときの厚さを差引いた厚さである。これにより、シェード３が窓枠５の上方から窓枠５に密着した状態で吊下げられる。
【００４６】
また、窓枠５の上方の室内壁面６にシェード側及び固定側の面ファスナ３ｄ，１５ａを介してシェード３を取付けているので、シェード３の着脱が容易である。したがって、シェード３が汚れたときや、季節に応じて室内の模様替えを行うときに、シェード３の取替えを容易に行なえる。また、シェード昇降機構４を窓枠５の内周側上部に設けてあるから、室内側にはシェード３の厚み分しか出張らない。したがって、本昇降式シェード１ｄの上部に埃がたまり難く衛生的である。しかも室内側からは、窓枠５に対して単にシェード３を貼付けただけのように見え、タペストリーのような室内インテリアとして機能を奏する。
【００４７】
なお、実施例４では、シェード３を窓枠５の上方の室内壁面６に取付けた場合について説明したが、シェード３を窓枠５に取付けても構わない。この場合、スペーサ部材１５は不要である。
【図面の簡単な説明】
【００４８】
【図１】本発明の実施例１に係る昇降式シェードを示す室内側斜視図である。
【図２】本発明の実施例１に係る昇降式シェードを示す縦断側面図である。
【図３】図２の状態からシェードをたくし上げた状態を示す縦断側面図である。
【図４】本発明の実施例１に係る昇降式シェードの他の使用例を示す縦断側面図である。
【図５】本発明の実施例１に係る昇降式シェードの他の使用例を示す縦断側面図である。
【図６】本発明の実施例１に係る昇降式シェードの変形例を示す縦断側面図である。
【図７】本発明の実施例２に係る昇降式シェードを示す背面図である。
【図８】本発明の実施例２に係る昇降式シェードを示す縦断側面図である。
【図９】本発明の実施例３に係る昇降式シェードを示す縦断側面図である。
【図１０】本発明の実施例３に係る昇降式シェードを示す横断上面図である。
【図１１】図９の状態からアームを展開した状態を示す縦断側面図である。
【図１２】本発明の実施例３に係る昇降式シェードの変形例を示す横断上面図である。
【図１３】本発明の実施例４に係る昇降式シェードを示す縦断側面図である。
【図１４】従来の昇降式シェードを示す背面斜視図である。
【図１５】従来の昇降式シェードを示す縦断側面図である。
【符号の説明】
【００４９】
１ａ〜１ｄ    昇降式シェード
２     ヘッドレール
３     シェード
３ｄ   シェード側の面ファスナ
４     シェード昇降機構
５     窓枠
６     室内壁面
８     窓
９     スペーサ部材
９ａ   固定側の面ファスナ
【図１】
2005168989.tif 000003
【図２】
2005168989.tif 000004
【図３】
2005168989.tif 000005
【図４】
2005168989.tif 000006
【図５】
2005168989.tif 000007
【図６】
2005168989.tif 000008
【図７】
2005168989.tif 000009
【図８】
2005168989.tif 000010
【図９】
2005168989.tif 000011
【図１０】
2005168989.tif 000012
【図１１】
2005168989.tif 000013
【図１２】
2005168989.tif 000014
【図１３】
2005168989.tif 000015
【図１４】
2005168989.tif 000016
【図１５】
2005168989.tif 000017